(57)【要約】【課題】情報記憶担体の最高通信速度は、同じ通信方法を持つ情報記憶担体でも異なる。そのため、複数の情報記憶担体を同時に処理可能な情報記録担体読込書込装置では、最高の処理速度を得るためには、情報記憶担体ごとに通信速度を変更する必要がある。そのため、情報記憶担体ごとに最適な通信速度を設定可能な情報記録担体読込書込装置を提供する。【解決手段】情報記録担体へコマンドを発信するコマンド発信部と、前記コマンドに対する前記情報記録担体からの応答を受信する受信部と、前記応答に含まれる前記情報記録担体の識別情報と通信能力とを記録する記憶部と、前記記憶部に記憶された識別情報と通信能力に基づいて、通信する情報記録担体ごとの最高通信速度に通信速度を切替える制御部とを有し、情報記憶担体ごとに最適な通信速度を設定する。【選択図】  図１
2004240861.tif 000002
【特許請求の範囲】
【請求項１】
情報記録担体へコマンドを発信するコマンド発信部と、前記コマンドに対する前記情報記録担体からの応答を受信する受信部と、前記応答に含まれる前記情報記録担体の識別情報と通信速度とを記録する記憶部と、前記記憶部に記憶された識別情報と通信速度に基づいて、通信する情報記録担体ごとの通信速度を切替える制御部とを有する情報記録担体読取書込装置。
【請求項２】
情報記録担体へコマンドを発信するコマンド発信部と、前記コマンドに対する前記情報記録担体からの応答を受信する受信部と、前記応答に含まれる前記情報記録担体の識別情報と最高通信速度とを記録する記憶部と、前記記憶部に記憶された識別情報と最高通信速度に基づいて、通信する情報記録担体ごとの最高通信速度に通信速度を切替える制御部とを有する情報記録担体読取書込装置。
【請求項３】
情報記録担体へコマンドを発信するコマンド発信部と、前記コマンドに対する前記情報記録担体からの応答を受信する受信部と、前記応答に含まれる前記情報記録担体の識別情報と最高通信速度とを記録する記憶部と、情報記憶担体が通信領域内に存在し、この情報記憶担体の識別情報と最高通信速度が前記記憶部に記憶されていない場合には前記記憶部に識別情報と最高通信速度を記憶し、前記記憶部に識別情報と最高通信速度が記憶されている情報記憶担体が通信領域内に存在しなくなった場合には、前記記憶部からこの情報記憶担体の識別情報と最高通信速度を削除する制御部とを有する情報記録担体読取書込装置。
【請求項４】
情報記憶担体が通信領域内に存在するか否かを物理的に判定する検知部を有する、請求項３記載の情報記録担体読取書込装置。
【請求項５】
情報記録担体へコマンドを発信するステップと、前記コマンドに対する前記情報記録担体からの応答を受信するステップと、前記応答に含まれる前記情報記録担体の識別情報と最高通信速度を記憶するステップと、前記記憶部に記憶された識別情報と最高通信速度に基づいて、通信する情報記録担体ごとの最高通信速度に通信速度を切替えるステップとからなる情報記録担体通信方法。
【請求項６】
情報記録担体へコマンドを発信するステップと、前記コマンドに対する前記情報記録担体からの応答を受信するステップと、前記応答に含まれる前記情報記録担体の識別情報と最高通信速度を記憶するステップと、情報記憶担体が通信領域内に存在し、この情報記憶担体の識別情報と最高通信速度が前記記憶部に記憶されていない場合には前記記憶部に識別情報と最高通信速度を記憶し、前記記憶部に識別情報と最高通信速度が記憶されている情報記憶担体が通信領域内に存在しなくなった場合には、前記記憶部からこの情報記憶担体の識別情報と最高通信速度を削除するステップとからなる情報記録担体通信方法。
【請求項７】
情報記憶担体が通信領域内に存在するか否かを物理的に検知するステップを有する請求項６記載の情報記録担体通信方法。
【発明の詳細な説明】
【０００１】
【発明の属する技術分野】
本発明は、情報記録担体に対して情報を読み書きするための情報記録担体読取書込装置に関し、特に、複数の情報記録担体に対し情報記録担体の通信能力によらず、最適な通信を行うことを可能にするものである。
【０００２】
【従来の技術】
情報記録担体の１つであるＩＣカードは磁気カードに比べて多くの情報を格納することができる。そのため、高度な暗号などを用いたセキュリティの向上や、複数のアプリケーションを搭載することで異なるサービス提供者のサービスへアクセスするなどの利用が可能であり、近年利用が増加している。
【０００３】
このＩＣカードには、接点を介してＩＣカード読取書込装置と通信を行う接触式と、電波などを介して通信を行う非接触式とがある。そして、非接触式のＩＣカードの場合、ＩＣカード読取書込装置は同時に複数のカードと通信することが可能である。
【０００４】
しかし、複数のＩＣカードと通信を行うためには、それらのカードを検索し、識別した上で通信を行う必要がある。そこで、読取書込装置はカード検索操作において、複数カードの送信データの衝突を防止するために、アンチコリジョンと呼ばれる機能を実行し、各カードからの応答を区別して受信することにより、複数のカードの存在を判別する。このアンチコリジョン機能の例としては、時間的なスロットを設定して、決まった時間スロットにおいてのみ応答を返すものや、指定されたランダムな番号に対して応答を返すものなどがある。そして、この検索の過程で、ＩＣカードは、自身の応答可能な最高通信速度を読取書込装置に通知する。そして、このＩＣカード読取書込装置は、通知された通信速度のうちから実際に通信する速度を選択し、ＩＣカードに通知することで、ＩＣカードを実際に通信が行える状態にする。このＩＣカードを通信可能な状態とする処理のことを活性化と呼ぶ。実際のデータの読取書込処理は、前記カード活性化操作を行った後に行われる。
【０００５】
図１０にＩＣカードを用いたＩＣカード読取システムの構成を示す。
【０００６】
このＩＣカード読取システム２０は、情報記録担体読取書込装置であるＩＣカード読取書込装置２と、情報記録担体であるＩＣカード３と、上位装置であるパーソナルコンピュータ２１とからなる。そして、ＩＣカード読取書込装置２は、ＩＣカード３にアクセスし、情報の読書きを行うものである。また、ＩＣカード３は情報の保持が可能な記録媒体である。また、パーソナルコンピュータ２１は、前記ＩＣカード読取書込装置２の制御を行うことでＩＣカード３と情報の読書きをおこなうものであり、例えばである。
【０００７】
図１１は、従来の上記ＩＣカード読取書込装置２の構成を示したものである。このＩＣカード読取書込装置２は、コマンド発信部１０と受信部１１とを有している。
【０００８】
コマンド発信部１０は、前記パーソナルコンピュータ２１からの指令を受けＩＣカード３に対するコマンドならびにデータを発信するものである。受信部１１は、前記ＩＣカード３が通信領域内に存在する場合、前記コマンド発信部１０からのコマンドやデータに対するＩＣカード３からの応答を受信し、前記パーソナルコンピュータ２１に通知するものである。
【０００９】
また、別のＩＣカード読取装置として、ＩＣカードへの動作クロックを一定に保つと共に通信速度を変更することで、動作クロックの異なる複数種類のＩＣカードの読み取りを可能とするＩＣカード読取装置が知られている（例えば特許文献１参照）。
【００１０】
【特許文献１】
特開平９−３５０１３号公報
【００１１】
【発明が解決しようとする課題】
ＩＣカードはその仕様から、検索および活性化処理の速度が規定されているが、実際の処理を行うデータ通信時の通信速度は、等倍、２倍、４倍、８倍に設定可能である。また、ＩＣカード読取書込装置からＩＣカードへ、あるいはＩＣカードからＩＣカード読取書込装置へ、の両方向で各々独立に通信速度の設定が可能である。
【００１２】
また、ＩＣカードは等倍速とｎ倍速の２つの速度での通信能力を持ち、そのｎの最大が８である。等倍速から８倍速までの通信速度のうち、検索および活性化に使用される等倍速度は必須であり、全てのカードが等倍速度をサポートしている。しかし、２倍速以上の通信速度のサポートについてはＩＣカードにより異なる。そして、複数の異なるＩＣカードに対応可能なＩＣカード読取書込装置が、異なる種類のＩＣカードと同時にアクセス可能な状態になった場合、ＩＣカードごとに対応する最高通信速度が異なる場合が発生する。
【００１３】
そこで、最高通信速度が異なる複数のＩＣカードを検出するＩＣカード読取書込装置において、全てのＩＣカードとの通信を確保するために全てのＩＣカードに必須である等倍速を通信速度として用いるとすると、通信性能の低下を招く。また、市場に存在する複数のＩＣカードの中で最高の通信速度を通信速度として用いるとすると、それに対応していないＩＣカードと通信ができないという問題を生じる。
【００１４】
そのため、最適な通信を行うためには、ＩＣカードごとに通信速度を変更することが必要になる。従って、異なるＩＣカードと同時にデータの読書きを行う場合、作業者はデータの読書きを行うＩＣカードのコマンドごとにＩＣカード読取書込装置に対して通信速度の変更を指示しなければならない。このことは作業者の負担を増加させるとともに、処理効率が低下するといった問題を生じていた。
【００１５】
本発明は、上記課題を解決するものであり、情報記録担体検出時に取得する情報記録担体ごとの通信最高速度を管理することにより、情報記憶担体ごとに自動的に通信速度を設定する方法を提供し、併せて、この方法を容易に実現するための情報記録担体読取書込装置を提供することを目的としている。
【００１６】
【課題を解決するための手段】
上記目的を達成するために、本発明の情報記録担体読取書込装置は、情報記録担体へコマンドを発信するコマンド発信部と、前記コマンドに対する前記情報記録担体からの応答を受信する受信部と、前記応答に含まれる前記情報記録担体の識別情報と通信速度とを記録する記憶部と、前記記憶部に記憶された識別情報と通信速度に基づいて、通信する情報記録担体ごとの通信速度を切替える制御部とを有するものである。
【００１７】
また、本発明の情報記録担体読取書込装置は、情報記録担体へコマンドを発信するコマンド発信部と、前記コマンドに対する前記情報記録担体からの応答を受信する受信部と、前記応答に含まれる前記情報記録担体の識別情報と最高通信速度とを記録する記憶部と、前記記憶部に記憶された識別情報と最高通信速度に基づいて、通信する情報記録担体ごとの最高通信速度に通信速度を切替える制御部とを有するものである。
【００１８】
また、本発明の情報記録担体読取書込装置は、情報記憶担体が通信領域内に存在し、この情報記憶担体の識別情報と最高通信速度が前記記憶部に記憶されていない場合には前記記憶部に識別情報と最高通信速度を記憶し、前記記憶部に識別情報と最高通信速度が記憶されている情報記憶担体が通信領域内に存在しなくなった場合には、前記記憶部からこの情報記憶担体の識別情報と最高通信速度を削除する制御部を有するものである。
【００１９】
また、本発明の情報記録担体読取書込装置は、情報記憶担体を検知する検知部を有するものである。
【００２０】
また、本発明の情報記録担体通信方法は、情報記録担体へコマンドを発信するステップと、前記コマンドに対する前記情報記録担体からの応答を受信するステップと、前記応答に含まれる前記情報記録担体の識別情報と通信速度能力を記憶するステップと、前記記憶部に記憶された識別情報と最高通信速度に基づいて、通信する情報記録担体ごとの最高通信速度に通信速度を切替えるステップとを有するものである。
【００２１】
また、本発明の情報記録担体通信方法は、情報記憶担体が通信領域内に存在し、この情報記憶担体の識別情報と最高通信速度が前記記憶部に記憶されていない場合には前記記憶部に識別情報と最高通信速度を記憶し、前記記憶部に識別情報と最高通信速度が記憶されている情報記憶担体が通信領域内に存在しなくなった場合には、前記記憶部からこの情報記憶担体の識別情報と最高通信速度を削除するステップを有するものである。
【００２２】
また、本発明の情報記録担体通信方法は、情報記憶担体を検知するステップを有するものである。
【００２３】
【発明の実施の形態】
以下、本発明の実施の形態について、図１から図９を用いて説明する。
【００２４】
（実施の形態１）
本発明の実施の形態１について、図１から図５を用いて説明する。図１は、情報記録担体読取書込装置であるＩＣカード読取書込装置２の構成とＩＣカード３とを示したものであり、ＩＣカード読取書込装置２は、コマンド発信部１０と、受信部１１と、記憶部１２と、制御部１５とを有してなる。
【００２５】
ここで、コマンド発信部１０は、ＩＣカード３に対し情報記録担体検出コマンドや読書きコマンドを発信するものである。
【００２６】
また、受信部１１は、ＩＣカード３が通信領域内に存在する場合、コマンド発信部１０からのコマンドに対するＩＣカード３からの応答を受信するものである。
【００２７】
また、記憶部１２は受信部１１で得られたＩＣカード３からの応答のうち、最高通信速度とＩＣカード３の識別番号を格納する。
【００２８】
また、制御部１５は、ＩＣカード３への読書きコマンドに含まれるＩＣカード３の識別番号に基づき、記憶部１２に格納されている複数の最高通信速度の中から対応する最高通信速度を検索し、コマンド発振部１０と受信部１１に通知するものである。
【００２９】
次に、図２を用いて、情報記録担体読取書込装置であるＩＣカード読取書込装置２での情報記録担体であるＩＣカード３の読み書き処理の流れの概要について説明する。なお、流れの中の各ステップの詳細については図３から図５を用いて後に説明する。
【００３０】
先ず、ＩＣカード読取書込装置２は、ＩＣカード３を検出する（ステップ１）。ここで、ＩＣカード読取書込装置２は通信領域内にある全てのＩＣカード３の識別番号と最高通信速度を取得し記憶する。
【００３１】
次に、ＩＣカード読取書込装置２は、通信領域内にある複数のＩＣカードの内、読み取りまたは書き込みを行うＩＣカード３を活性化し、通信速度を指示する（ステップ２）。なお、活性化とは、情報記録担体であるＩＣカード３を通信可能な状態とする処理のことである。また、通信速度を指示するとは、例えば、パーソナルコンピュータ等（図示せず）からＩＣカード読取書込装置２に対して、複数のＩＣカード３の中からどのＩＣカード３と読み取りまたは書き込みをするかを指定し、その指定されたＩＣカード３との通信速度をＩＣカード読取書込装置２からＩＣカード３に通知することである。
【００３２】
次に、ＩＣカード読取書込装置２は、複数のＩＣカードの中から指定された読書きを行うＩＣカード３に指示した最高通信速度を記憶する（ステップ３）。
【００３３】
次に、ＩＣカード読取書込装置２は、記憶した最高通信速度で、ＩＣカード３とデータの読書きを行う（ステップ４）。
【００３４】
また、ＩＣカード３が複数存在する場合、上位装置であるパーソナルコンピュータ（図示せず）などからＩＣカード読取書込装置２に対して指定されたＩＣカード３に対応した通信速度に切り替えながらデータの読書きを行う。これにより、ＩＣカード読取書込装置２は、データの読書きコマンドごとに、個々のＩＣカード３との最適な通信速度を選択し、最適な通信を行うことができる。
【００３５】
次に、上述したステップ１からステップ３について詳細に説明する。
【００３６】
先ず、図３を用いて、前記したステップ１であるＩＣカード読取書込装置２におけるＩＣカード３の検出処理の詳細について説明する。
【００３７】
コマンド発信部１０は、情報記録担体検出用コマンドを発信する（ステップ１１）。
【００３８】
受信部１１は、ＩＣカ−ド３からの応答を待つ（ステップ１２）。
【００３９】
通信領域内にＩＣカ−ド３が存在する場合はＩＣカード３から応答があり、ＩＣカード３の識別番号や最高通信速度を含むその応答を受信して記憶部１２に記憶する（ステップ１３）。
【００４０】
次に、図４を用いて、前記したステップ２であるＩＣカード３の活性化処理の詳細について説明する。
【００４１】
コマンド発信部１０は情報記録担体活性化コマンドを発信し、ＩＣカード３を活性化して通信を行う最高通信速度を通知する（ステップ２１）。
【００４２】
コマンド応答部１１は、ＩＣカード３からの応答を待つ（ステップ２２）。
【００４３】
ＩＣカード３から応答がある場合は、その応答を受信する（ステップ２３）。
【００４４】
次に、図５を用いて、前記ステップ３およびステップ４の処理の詳細について説明する。
【００４５】
制御部１５は指示された読書きコマンド内の情報記憶担体識別番号から、記憶されている通信最高速度を検索する（ステップ３１）。
【００４６】
制御部１５は検索された通信最高速度情報を、現在設定されている通信速度と比較する（ステップ３２）。
【００４７】
通信速度が異なる場合、制御部は検索された通信最高速度情報を、コマンド発信部１０ならびに受信部１１に通知する（ステップ３３）。
【００４８】
コマンド発信部１０ならびに受信部１１は、ＩＣカード３との通信速度を通知された最高通信速度に変更する（ステップ３４）。
【００４９】
コマンド発信部１０は、ＩＣカード３への読書きコマンドを発信する（ステップ３５）。
【００５０】
受信部１１は、ＩＣカ−ド３からの応答を待つ（ステップ３６）。
【００５１】
通信領域内のＩＣカード３から応答がある場合はその応答を受信する（ステップ３７）。
【００５２】
以上のように、本実施の形態のＩＣカード読取書込装置２によれば、ＩＣカード３の最高通信速度をＩＣカード３ごとに保存し、最高速度で通信する場合どのＩＣカード３への通信データかを判定し、ＩＣカード３ごとの最高速度にＩＣカード読取書込装置２の通信速度を切り替えることにより、最高通信速度の異なる複数のＩＣカード３が存在する場合でも、通信速度の違いを意識せず、ＩＣカード３と最適な速度で通信が可能となりＩＣカード３の管理を容易に行うことができる。
【００５３】
また、本実施の形態の通信方法によれば、ＩＣカード読取書込装置２がＩＣカード３との通信速度の切り替えを行うので、作業者がデータの読み書きを行うコマンドごとにＩＣカード読取書込装置２に対して通信速度の変更を指示する必要がなくなり、これにより作業者の負担が軽減し、処理効率を向上することができる。
【００５４】
（実施の形態２）
本発明の実施の形態２について、図６と図７を用いて説明する。実施の形態１と同様の箇所については同一符号を付して詳細な説明を省略する。
【００５５】
実施の形態１と異なるのは、制御部１５が、ＩＣカード３が通信領域内に存在し、このＩＣカード３の識別情報と最高通信速度が記憶部１２に記憶されていない場合には記憶部１２に識別情報と最高通信速度を記憶し、記憶部１２に識別情報と最高通信速度が記憶されているＩＣカード３が通信領域内に存在しなくなった場合には、記憶部１２からこのＩＣカード３の識別情報と最高通信速度を削除するようにした点である。
【００５６】
図６において、制御部１５は、ＩＣカード３からの情報と記憶部１２に記憶されているデータとの比較を行い、記憶部１２に存在していなかったデータの登録や、ＩＣカード３が通信可能領域内に存在しなくなった場合の記憶部１２のデータの削除などを行う。
【００５７】
次に、図７を用いて、本実施の形態のＩＣカード読取書込装置２の処理の流れについて説明する。
【００５８】
ＩＣカード読取書込装置２は、ＩＣカード３を検出し、このＩＣカード３の識別情報や最高通信速度を取得する（ステップ４１）。
【００５９】
ＩＣカード読取書込装置２は、ＩＣカード３を活性化し、ＩＣカード３に対して通信速度を指示する（ステップ４２）。
【００６０】
制御部１５はＩＣカード３の識別番号を記憶部１２に記憶されている識別番号と比較する（ステップ４３）。
【００６１】
ＩＣカード３の識別番号が記憶部１２に記憶されていない場合、制御部１５はＩＣカード３の識別情報と通信最高速度を記憶部１２に記憶する（ステップ４４）。
【００６２】
ＩＣカード読取書込装置２は、ＩＣカード３とデータの読書きを行う（ステップ４５）。
【００６３】
読書きに失敗したか否かを判定する（ステップ４６）。
【００６４】
失敗の場合、制御部１５はその識別番号のＩＣカード３が存在しなくなったと判断し、記憶部１２に記憶された通信最高速度情報を削除する（ステップ４７）。
【００６５】
なお、ステップ４１、ステップ４２、ステップ４５については、それぞれ実施の形態１のステップ１、ステップ２、ステップ４の処理と同じ処理を行う。
【００６６】
以上のように、本実施の形態のＩＣカード読取書込装置２によれば、実施の形態１の効果に加え、制御部１５により、ＩＣカード３からの情報と記憶部１２に記憶されているデータとの比較を行い、存在していなかったデータの登録や、ＩＣカード３が通信可能領域内に存在しなくなった場合に記憶部１２からデータの削除などを行うことによりＩＣカード３の管理に必要なファイルの増加を防ぐことが可能となり、検索時の速度を向上することができ、通信性能を向上することができる。
【００６７】
（実施の形態３）
本発明の実施の形態３について、図８と図９を用いて説明する。実施の形態２と同様の箇所については同一符号を付して詳細な説明を省略する。
【００６８】
実施の形態２と異なるのは、実施の形態２のＩＣカード読取書込装置２に検知部１４を加えた点である。
【００６９】
図８において、１４はＩＣカード読取書込装置２がＩＣカード３と通信可能な領域内に存在するか否かを物理的なセンサで検知する検知部であり、例えば光電素子や接触スイッチなどである。
【００７０】
本実施の形態における処理では、実施の形態２における処理に加え、制御部１５は、検知部１４からの通信領域内にＩＣカード３が存在しなくなったことの通知により、記憶部１２に記憶されているＩＣカード３の対応する情報の削除を行う。
【００７１】
次に、図９を用いて、本実施の形態のＩＣカード読取書込装置２の処理の流れについて説明する。
【００７２】
ＩＣカード読取書込装置２は、検知部１４により通信可能領域内の物体を検知する（ステップ５１）。
【００７３】
ＩＣカード読取書込装置２は、通信コマンドにより、通信が可能であればステップ５１で検知した物体を、ＩＣカード３として検出し、通信に失敗した場合は、通信可能なＩＣカード以外のものを検知したと判断し、処理を中止する（ステップ５２）。
【００７４】
ＩＣカード読取書込装置２は、ＩＣカード３を活性化し、通信速度を指示する（ステップ５３）。
【００７５】
制御部１５はＩＣカード３の識別番号を記憶部１２の記憶内容と比較する（ステップ５４）。
【００７６】
ＩＣカード３の識別番号が記憶部１２に記憶されていない場合、制御部１５はＩＣカード３の識別番号と通信最高速度を記憶部１２に記憶する（ステップ５５）。
【００７７】
ＩＣカード読取書込装置２は、ＩＣカード３とデータの読書きを行う（ステップ５６）。
【００７８】
検知部１４は、ＩＣカード３を検知する（ステップ５７）。
【００７９】
検知できなかった場合、制御部１５は記憶部１２に記憶されたその識別番号のＩＣカード３の通信最高速度情報を削除する（ステップ５８）。
【００８０】
以上のように、本実施の形態の構成によれば、検知部１４によりＩＣカード３の存在を検知することにより、ＩＣカード３が存在しなくなったことを直ちに判断でき、ＩＣカード３への通信操作によらずその有無を管理できる。従って、ＩＣカード読取書込装置２による通信コマンドの成否によるＩＣカード３の存在の判断が不要となり、処理能力を向上することができる。
【００８１】
また、本実施の形態の通信方法によれば、実施の形態２の効果に加え、検知部１４によるＩＣカード３を物理的な手段で検知するステップを有することにより、ＩＣカード読取書込装置２を容易に実現できる。
【００８２】
【発明の効果】
以上のように、本発明は情報記録担体の通信可能最大速度情報を情報記録担体ごとに保存し、最高速度で通信する場合、どの情報記録担体への通信データかを判定し、情報記録担体ごとの最高速度に情報記憶担体読取書込装置の通信速度を切り替えることにより、複数の最高通信速度の異なる情報記録担体にアクセスする場合でも通信時間を短縮することができる。
【図面の簡単な説明】
【図１】本発明の実施の形態１におけるＩＣカード読取書込装置とＩＣカードを示す図
【図２】本発明の実施の形態１におけるＩＣカード読取書込装置の処理の流れ図
【図３】本発明の実施の形態１におけるステップ１の処理の流れ図
【図４】本発明の実施の形態１におけるステップ２の処理の流れ図
【図５】本発明の実施の形態１におけるステップ３の処理の流れ図
【図６】本発明の実施の形態２におけるＩＣカード読取書込装置の構成図
【図７】本発明の実施の形態２におけるＩＣカード読取書込装置の処理の流れ図
【図８】本発明の実施の形態３におけるＩＣカード読取書込装置の構成図
【図９】本発明の実施の形態３におけるＩＣカード読取書込装置の処理の流れ図
【図１０】従来のＩＣカード読取書込システムの構成図
【図１１】従来のＩＣカード読取書込装置の構成図
【符号の説明】
２  ＩＣカード読取読取装置
３  ＩＣカード
１０  コマンド発信部
１１  受信部
１２  記憶部
１４  検知部
１５  制御部
２０  ＩＣカード読取システム
２１  パーソナルコンピュータ
【図１】
2004240861.tif 000003
【図２】
2004240861.tif 000004
【図３】
2004240861.tif 000005
【図４】
2004240861.tif 000006
【図５】
2004240861.tif 000007
【図６】
2004240861.tif 000008
【図７】
2004240861.tif 000009
【図８】
2004240861.tif 000010
【図９】
2004240861.tif 000011
【図１０】
2004240861.tif 000012
【図１１】
2004240861.tif 000013